(57)【特許請求の範囲】
【請求項１】
表面に記入欄が設けられたクリーニングタッグのほぼ中央部の両側に、それぞれボタンホールに引っかかる凹みが形成され、クリーニングタッグの一端にクリーニングタッグの幅より狭くなった先細りの山形の係止部が形成され、係止部とタッグシート本体との間の両側に切欠が形成され、クリーニングタッグの他端近くに、係止部を挿通するスリットがクリーニングタッグの幅方向に形成され、前記凹みの間隔がワイシャツのボタンホールの長さとほぼ同じ寸法であり、前記切欠の係止部側が幅方向に直線状に形成され且つ前記両側の切欠の間隔がスリットの長さとほぼ同じ寸法であることを特徴とするクリーニングタッグ。
【発明の詳細な説明】
【０００１】
【発明の属する技術分野】
本発明は、衣類等をクリーニングする際に衣類等に取り付けるクリーニングタッグに関する。
【０００２】
【従来の技術】
クリーニング店においては、お客から預かったスーツ、ワイシャツ等の衣類をクリーニングする前に、衣類を識別できるようにするため、クリーニングタッグに名前、伝票番号などの必要事項を記入した後、ボタンホール、襟吊り、ベルト通しにクリーニングタッグを取り付けている。
【０００３】
図３（ａ）は従来のクリーニングタッグ、（ｂ）はボタンホールにクリーニングタッグを取り付けた状態を示す図である。
【０００４】
通常、クリーニングタッグ１は、耐水性、耐溶剤性、耐薬品性などを備えた帯状の耐洗紙やプラスチック製シートからなる。クリーニングタッグ１の表面には、氏名、タッグ番号、担当者、金額等の必要事項を記入するための記入欄が設けられている。
【０００５】
前述のクリーニングタッグ１の使用方法は、たとえば、クリーニング店にワイシャツが持ち込まれた場合、クリーニングタッグ１の記入欄に氏名、タッグ番号等の必要事項を記入した後、クリーニングタッグ１をワイシャツ７のボタンホール８に通して曲げ、両端をホチキス針９で固着する。その後、クリーニングを行っている。クリーニング後は、クリーニングタッグ１により仕分けをして客に返している。
【０００６】
【発明が解決しようとする課題】
クリーニング装置内では、複数の洗濯物が回転し、ぶつかり合ったり、擦り合ったりしているため、従来のホチキス針を用いたクリーニングタッグは、ホチキス針により、衣類を傷つけたりする場合があった。また、クリーニングタッグの付いた洗濯物の取扱中に引っ張ったりすると、同様にホチキス針により、他のクリーニング物を傷つけたりする場合があった。
【０００７】
そこで、本発明は、洗濯物をクリーニング中、あるいは取扱中に洗濯物を傷つけないクリーニングタッグを提供するものである。
【０００８】
【課題を解決するための手段】
本発明のクリーニングタッグは、表面に記入欄が設けられたクリーニングタッグのほぼ中央部の両側に、それぞれボタンホールに引っかかる凹みが形成され、クリーニングタッグの一端にクリーニングタッグの幅より狭くなった先細りの山形の係止部が形成され、係止部とタッグシート本体との間の両側に切欠が形成され、クリーニングタッグの他端近くに、係止部を挿通するスリットがクリーニングタッグの幅方向に形成され、前記凹みの間隔がワイシャツのボタンホールの長さとほぼ同じ寸法であり、前記切欠の係止部側が幅方向に直線状に形成され、前記両側の切欠の間隔がスリットの長さとほぼ同じ寸法であることを特徴とする。
【００１０】
【発明の実施の形態】
図１（ａ）は本発明のクリーニングタッグの平面図、（ｂ）は（ａ）のＡ−Ａ断面図である。
【００１１】
クリーニングタッグは、従来のクリーニングタッグと同じく、耐水性、耐溶剤性、耐薬品性などを備えた帯状の耐洗紙やプラスチック製シートからなる。クリーニングタッグの表面には、氏名、タッグ番号、担当者、金額等の必要事項を記入するための記入欄が設けられている。
【００１２】
本発明のクリーニングタッグ１のほぼ中央部の両側には、それぞれ凹み２ａ，２ｂが形成される。両側の凹み２ａ，２ｂの間隔（ｔ１）は、一般のワイシャツのボタンホール８（図２）の長さとほぼ同じ寸法とする。凹み２ａ，２ｂを形成することにより、凹み２ａ，２ｂがボタンホール８に引っかかり、クリーニングタッグ１を係止することができる。なお、ボタンホール８の大きさは、衣類の種類により異なるが、通常、ボタンホール８を利用しているのは、ワイシャツがほとんどであり、他の衣類に使用する場合には、それ用に凹み２ａ，２ｂ形成すればよい。
【００１３】
クリーニングタッグ１の一端には、先端がクリーニングタッグ１の幅（ｔ２）より狭くなった先細りの山形の係止部３が形成されている。係止部３とタッグシート本体４との間には、切欠５ａ，５ｂが形成されている。切欠５ａ，５ｂの係止部３側は、後述するスリット６に係合するため、幅方向に直線状に形成されている。切欠５ａ，５ｂの間隔（ｔ３）は、スリット６の長さ（ｔ４）とほぼ同じ寸法とする。
【００１４】
一方、クリーニングタッグ１の他端近くには、係止部３が挿通するスリット６がクリーニングタッグ１の幅方向に形成される。スリット６の長さ（ｔ４）は、前述のとおり、係止部３の切欠間の幅（ｔ３）とほぼ同じ寸法にする。このような寸法とすることによりクリーニングタッグ１の両端を確実に係止することができる。
【００１５】
次に、本発明のクリーニングタッグの使用方法について説明する。
【００１６】
図２は本発明のクリーニングタッグをワイシャツのボタンホールに取り付けた状態を示す斜視図である。
【００１７】
本発明のクリーニングタッグ１をワイシャツ７のボタンホール８に取り付ける場合、クリーニングタッグ１の係止部３をボタンホール８に通して中央の凹みまで引っ張った後、折り曲げる。タッグシート本体の幅（ｔ２）は、ボタンホール８の幅（通常ｔ１）より大きいが、クリーニングタッグ１は柔らかく、引っ張りに強いので、容易に通すことができる。
【００１８】
次いで、係止部３をスリット６に通し、係止部３をスリット６から引き出し、切欠５ａ，５ｂを引っかける。係止部３の幅は、スリット６の幅（ｔ４）よりやや大きいが、前述のとおりクリーニングタッグ１は柔らかく、引っ張りに強いので、容易に通すことができ、通過後は元に戻って平面状となり、係止部３はスリット６の両側に係止される。
【００１９】
本発明のクリーニングタッグ１は、容易に洗濯物に取り付けることができるとともに、クリーニング中に外れることはない。
【００２０】
クリーニングタッグ１の取り外しは、環状になったタッグシート本体４を外側に強く拡げると、係止部３がスリット６から抜け、その後、タッグシート本体の端を持って引っ張ると、ボタンホール８から引き抜くことができる。
【００２１】
【発明の効果】
本発明のクリーニングタッグ１は、従来のように、ホチキス針を使用しないので、洗濯物を傷つけることがなく、また、洗濯物への取り付けるが容易にでき、クリーニング中に外れることはなく、取り外しも容易である。
【図面の簡単な説明】
【図１】  （ａ）は本発明のクリーニングタッグの平面図、（ｂ）は（ａ）のＡ−Ａ断面図である。
【図２】  本発明のクリーニングタッグをワイシャツのボタンホールに取り付けた状態を示す斜視図である。
【図３】  （ａ）は従来のクリーニングタッグ、（ｂ）はボタンホールにクリーニングタッグを取り付けた状態を示す図である。
【符号の説明】
１： クリーニングタッグ    ２ａ，２ｂ：凹み    ３：係止部
４：タッグシート本体    ５ａ，５ｂ：切欠    ６：スリット
７：ワイシャツ    ８：ボタンホール    ９：ホチキス針
【図１】
0004328416.tif 000002
【図２】
0004328416.tif 000003
【図３】
0004328416.tif 000004